(57)【特許請求の範囲】
【請求項１】
エレベータの乗場に設けられた１以上の高齢者用乗場呼びボタンと、
前記高齢者用乗場呼びボタンへの操作に応じて呼びを登録する呼び登録手段と、
前記呼び登録手段により登録された呼びに対して応答するかごを複数のかごのうちから割り当てるかご割り当て手段と、
前記乗場における前記複数のかごの出入口のそれぞれに対応して設けられたスピーカと、
前記かご割り当て手段により呼びに割り当てられた割当かごの前記乗場における出入口に対応する前記スピーカから案内音を鳴動させる制御手段と、を備え、
前記制御手段は、
操作された前記高齢者用乗場呼びボタンと前記割当かごの前記乗場における出入口との距離が予め定められた基準より遠い場合に、前記案内音の音量を通常より大きくするとともに高齢者用制御を実施し、
前記高齢者用制御の開始時に前記割当かごが前記乗場で戸閉待機中である場合、前記案内音の鳴動後も前記割当かごの前記乗場での戸閉待機を継続させることで、前記案内音を鳴動させてから前記割当かごの戸開を開始するまでの時間を通常よりも長くするエレベータの制御システム。
【請求項２】
前記制御手段は、前記高齢者用制御の開始時に前記割当かごが前記乗場で戸閉待機中でない場合、前記割当かご内に乗客がいないときは、前記割当かごの着床速度を通常よりも遅くして前記割当かごの前記乗場への到着を遅らせることで、前記案内音を鳴動させてから前記割当かごの戸開を開始するまでの時間を通常よりも長くする請求項１に記載のエレベータの制御システム。
【請求項３】
前記制御手段は、前記高齢者用制御において前記割当かご内に乗客がいるときは、前記割当かごの戸開を開始してから戸閉を開始するまでの時間を通常よりも長くする請求項１又は請求項２に記載のエレベータの制御システム。
【請求項４】
前記高齢者用制御を実施する旨を前記乗場の利用者に報知する報知手段を備えた請求項１から請求項３のいずれか一項に記載のエレベータの制御システム。
【発明の詳細な説明】
【技術分野】
【０００１】
この発明は、エレベータの制御システムに関するものである。
【背景技術】
【０００２】
従来のエレベータにおいては、各階に呼出し入力のための呼出し入力装置が設けられ、この呼出し入力装置によって送られた呼出しに基づいて、どの呼出し入力装置を使用して呼出しを発したかを見出し、こうして得られた情報から、各階における乗客の位置及び各エレベータのドアからの乗客の距離を判別し、判別した乗場における乗客の位置と、通常の最適化とに基づいて呼出しに割り当てることのできるエレベータを選択し、この選択後、選択されたエレベータの中から、距離データに基づいて呼出しに供すべき１つを選択する付加的最適化を行うものが知られている（例えば、特許文献１参照）。
【０００３】
また、エレベータの乗場（エレベータホール）に設けられ、乗りかごがその乗場に着床して停止したときにおけるエレベータのドアの戸開時間を通常時間よりも長い複数の延長時間に設定することが可能な戸開延長操作手段と、この戸開延長操作手段により戸開時間の延長が設定され、エレベータのドアが戸開してからの戸開の残り時間を乗場において表示する戸開残り時間表示手段と、を備えたものも従来において知られている（例えば、特許文献２参照）。
【先行技術文献】
【特許文献】
【０００４】
【特許文献１】特許第２６３８６９４号公報
【特許文献２】特開２０１０−２７５１０２号公報
【発明の概要】
【発明が解決しようとする課題】
【０００５】
このように、特許文献１に示された従来におけるエレベータは、乗場における利用者からエレベータまでの距離に応じて割り当てるエレベータの最適化を行う。しかしながら、利用者から遠いエレベータが割り当てられた場合に、高齢者等で聴力が弱い利用者は、エレベータが戸開することを知らせる案内音に気付くのが遅れてしまう。そして、エレベータが戸開したことに気付くのが遅れた利用者の焦りを誘うおそれがある。
【０００６】
また、特許文献２に示されたものにおいても、高齢者等で聴力が弱い利用者の場合、自身のいる位置から戸開したエレベータまでの距離が遠いと、エレベータが戸開することを知らせる案内音に気付くのが遅れてしまう。したがって、エレベータが戸開したことに気付くのが遅れた利用者の焦りを誘うおそれがある。さらに、エレベータのドアが戸開してからの戸開の残り時間がカウントダウンされるために高齢者等で歩行速度の遅い利用者に対し心理的に焦りを誘うおそれがある。
【０００７】
この発明は、このような課題を解決するためになされたもので、高齢者等で聴力が弱い利用者と戸開するエレベータとの距離に応じて、戸開するエレベータを当該利用者に気付きやすく報知することができ、当該利用者の焦りの抑制を図ることが可能であるエレベータの制御システムを得るものである。
【課題を解決するための手段】
【０００８】
この発明に係るエレベータの制御システムにおいては、エレベータの乗場に設けられた１以上の高齢者用乗場呼びボタンと、前記高齢者用乗場呼びボタンへの操作に応じて呼びを登録する呼び登録手段と、前記呼び登録手段により登録された呼びに対して応答するかごを複数のかごのうちから割り当てるかご割り当て手段と、前記乗場における前記複数のかごの出入口のそれぞれに対応して設けられたスピーカと、前記かご割り当て手段により呼びに割り当てられた割当かごの前記乗場における出入口に対応する前記スピーカから案内音を鳴動させる制御手段と、を備え、前記制御手段は、操作された前記高齢者用乗場呼びボタンと前記割当かごの前記乗場における出入口との距離が予め定められた基準より遠い場合に、前記案内音の音量を通常より大きくするとともに高齢者用制御を実施し、前記高齢者用制御の開始時に前記割当かごが前記乗場で戸閉待機中である場合、前記案内音の鳴動後も前記割当かごの前記乗場での戸閉待機を継続させることで、前記案内音を鳴動させてから前記割当かごの戸開を開始するまでの時間を通常よりも長くする構成とする。
【発明の効果】
【０００９】
この発明に係るエレベータの制御システムにおいては、高齢者等で聴力が弱い利用者と戸開するエレベータとの距離に応じて、戸開するエレベータを当該利用者に気付きやすく報知することができ、当該利用者の焦りの抑制を図ることが可能であるという効果を奏する。
【図面の簡単な説明】
【００１０】
【図１】この発明の実施の形態１に係るエレベータの乗場の正面図である。
【図２】この発明の実施の形態１に係るエレベータの制御システムのブロック図である。
【図３】この発明の実施の形態１に係るエレベータの制御システムが備える記憶部に記憶される情報の一例を示す図である。
【図４】この発明の実施の形態１に係るエレベータの制御システムの動作を示すフロー図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図４は、この発明の実施の形態１に係るもので、図１はエレベータの乗場の正面図、図２はエレベータの制御システムのブロック図、図３はエレベータの制御システムが備える記憶部に記憶される情報の一例を示す図、図４はエレベータの制御システムの動作を示すフロー図である。
【００１３】
この発明に係る制御システムが適用されるエレベータが停止する各階床には、図１に示すような乗場１が設けられている。乗場１には、利用者がエレベータのかごに乗降するための出入口２が設けられている。当該エレベータは、複数のかごを備えている。そして、当該エレベータでは、複数のかごを一群として管理して制御する群管理制御が実施されている。
【００１４】
出入口２は、複数のかごのそれぞれに対応して複数設けられる。ここでは、かごは１号機から４号機までの４台が設置されている場合を例にして説明する。したがって、出入口２も各号機に対応して４つ設けられている。なお、図１の図面に向かって左から１号機、２号機、３号機、４号機の順で並んでいるとする。
【００１５】
乗場１には、通常乗場呼びボタン３が設置されている。通常乗場呼びボタン３は、通常の利用者が乗場呼びを登録するためのものである。１つの乗場１につき通常乗場呼びボタン３が設置される数は１以上である。ここでは、通常乗場呼びボタン３は、１つの乗場１につき３つ設置されているとする。すなわち、１号機の出入口と２号機の出入口との間に１つ、２号機の出入口と３号機の出入口との間に１つ、そして、３号機の出入口と４号機の出入口との間に１つである。
【００１６】
また、乗場１には、高齢者用乗場呼びボタン４が設置されている。高齢者用乗場呼びボタン４は、高齢者である利用者が乗場呼びを登録するためのものである。高齢者用乗場呼びボタン４は、通常乗場呼びボタン３とは別に設置される。１つの乗場１について高齢者用乗場呼びボタン４が設置される数は、通常乗場呼びボタン３と同じく、１以上である。
【００１７】
ここでは、高齢者用乗場呼びボタン４は、通常乗場呼びボタン３と同数、すなわち、１つの乗場１について３箇所に設置されているとする。また、それぞれの高齢者用乗場呼びボタン４は、それぞれの通常乗場呼びボタン３の下方に配置されているとする。すなわち、１号機の出入口と２号機の出入口との間に１つ、２号機の出入口と３号機の出入口との間に１つ、そして、３号機の出入口と４号機の出入口との間に１つである。
【００１８】
以降においては、必要に応じて、これらの高齢者用乗場呼びボタン４のそれぞれを、図１の図面に向かって左から順に「呼びボタンＡ」、「呼びボタンＢ」、「呼びボタンＣ」と呼ぶ。なお、１つの乗場１における通常乗場呼びボタン３と高齢者用乗場呼びボタン４の設置数は必ずしも同数でなくてもよい。
【００１９】
乗場１には、ホールランタン５が設けられている。ホールランタン５は、複数のかごと同数設けられる。そして、複数のホールランタン５のそれぞれは、複数のかごのそれぞれに対応付けられている。ここでは、それぞれのホールランタン５は、それぞれのかごの出入口２の上方の左右中央に配置されている。
【００２０】
乗場１には、スピーカ６が設けられている。スピーカ６は、複数のかごと同数設けられる。そして、複数のスピーカ６のそれぞれは、複数のかごのそれぞれに対応付けられている。すなわち、スピーカ６は、乗場１における複数のかごの出入口２のそれぞれに対応して設けられている。ここでは、それぞれのスピーカ６は、それぞれのかごの出入口２の上方の左右中央における、ホールランタン５のさらに上方に配置されている。
【００２１】
次に、図２を参照しながら、エレベータの制御システムの機能的な構成について説明する。通常乗場呼びボタン３及び高齢者用乗場呼びボタン４が乗場１の利用者に操作されると、当該操作された乗場呼びボタンからボタン操作信号が出力される。このボタン操作信号には、操作された乗場呼びボタンがどの乗場１に設置されているのかについての情報が含まれている。
【００２２】
乗場呼びボタンから出力されたボタン操作信号は、呼び登録部１１へと入力される。呼び登録部１１は、入力されたボタン操作信号に応じて、操作された乗場呼びボタンが設置された乗場への乗場呼びを登録する。すなわち、呼び登録部１１は、高齢者用乗場呼びボタン４（及び通常乗場呼びボタン３）への操作に応じて呼びを登録する。
【００２３】
なお、高齢者用乗場呼びボタン４から出力されるボタン操作信号には、操作された乗場呼びボタンがどの乗場１に設置されているのかについての情報の他に、操作された乗場呼びボタンが「呼びボタンＡ」、「呼びボタンＢ」及び「呼びボタンＣ」のいずれであるのかについての情報も含まれている。
【００２４】
前述したように、当該エレベータでは、複数のかご７を一群として管理して制御する群管理制御が実施されている。このため、当該エレベータの制御システムには、かご割り当て部１２が備えられている。かご割り当て部１２は、呼び登録部１１により登録された呼びに対して応答するかご７を、一群として管理される複数のかご７のうちから割り当てる。このかご割り当て部１２は、複数のかご７の一群全体としての運転効率等を考慮して、既知の方法により最適なかご７を呼びに応答するかごとして決定する。この呼びに対して割り当てられたかご７を、以降において「割当かご」と呼ぶ。
【００２５】
エレベータの制御システムが備える制御部１３は、呼び登録部１１により登録された呼びに応答するべく、かご割り当て部１２により呼びに割り当てられた割当かごの運転を制御する。例えば、通常乗場呼びボタン３及び高齢者用乗場呼びボタン４のいずれかが操作されて乗場呼びが登録された場合、制御部１３は、操作された乗場呼びボタンが設置された乗場１へと割当かごを走行させる。
【００２６】
制御部１３は、乗場１の利用者に、どのかご７が当該乗場１に到着するのかを案内するための案内音をスピーカ６から鳴動させる。ここで、前述したように、スピーカ６は、乗場１における複数のかごの出入口２のそれぞれに対応して設けられている。そして、制御部１３が案内音を鳴動させるスピーカ６は、かご割り当て部１２により呼びに割り当てられた割当かごの乗場１における出入口２に対応するスピーカ６である。すなわち、制御部１３は、割当かごが乗場１に到着することを案内するための案内音を当該割当かごの乗場１における出入口に対応するスピーカ６を鳴動させる。
【００２７】
ここで、案内音は、予報音及び到着音の少なくとも一方を含む。予報音とは、かご割り当て部１２により割当かごが決定されたときに、当該割当かごが呼びに応答して乗場１に到着することになる旨を予め知らせるためのものである。また、到着音とは、割当かごが実際に乗場１に到着する際に鳴らされるものである。到着音は、割当かごが乗場１に着床した時、あるいは、割当かごが乗場１から予め定められた距離以内に接近した時に鳴らされる。なお、案内音には例えばチャイム音等を用いることができる。
【００２８】
また、制御部１３は、案内音をスピーカ６から鳴動させる際に、併せて、割当かごの乗場１における出入口２に対応するホールランタン５を点灯あるいは点滅等させる。
【００２９】
さらに、制御部１３は、高齢者用乗場呼びボタン４への操作に応じて登録された乗場呼びへの割当かごについての案内音をスピーカ６から鳴動させる場合には、当該案内音の音量を変化させる。すなわち、制御部１３は、操作された高齢者用乗場呼びボタン４と割当かごの乗場１における出入口２との距離に基づいて、スピーカ６から鳴動させる案内音の音量を設定する。
【００３０】
より詳しくは、制御部１３は、操作された高齢者用乗場呼びボタン４と割当かごの乗場１における出入口２との距離が予め定められた基準より遠い場合に音量を通常より大きくする。
【００３１】
また、さらに、制御部１３は、高齢者用乗場呼びボタン４への操作に応じて登録された乗場呼びへと割当かごを応答させる際に、操作された高齢者用乗場呼びボタン４と割当かごの乗場１における出入口２との距離が予め定められた前記基準より遠い場合には、高齢者用制御を実施する。この高齢者用制御においては、割当かご内に乗客がいるかいないかに応じて、制御部１３による制御内容が異なる。
【００３２】
まず、操作された高齢者用乗場呼びボタン４と割当かごの乗場１における出入口２との距離が前記基準より遠い場合において、当該割当かご内に乗客がいないときについて説明する。このときには、制御部１３は、当該割当かごについての案内音を乗場１のスピーカ６で鳴動させてから、乗場１で当該割当かごの戸開を開始するまでの時間を、通常よりも長くする。
【００３３】
これは、具体的には、次の２通りの制御がある。まず、１つめは、当該割当かごが乗場１に着床する際の着床速度を通常よりも遅くして割当かごの乗場１への到着を遅らせるという制御である。
【００３４】
そして、２つめは、当該割当かごが乗場１に到着してから当該割当かごの戸開を開始するまでの時間を通常よりも長くするという制御である。この２つめの制御においては、当該割当かごが乗場１に着床する際の着床速度は通常と同じである。代わりに、制御部１３は、当該割当かごが乗場１に到着しても戸開させずに、出入口２を戸閉した状態で待機させる。そして、制御部１３は、予め定められた一定時間が経過した後に当該割当かごの出入口２を戸開させる。
【００３５】
次に、操作された高齢者用乗場呼びボタン４と割当かごの乗場１における出入口２との距離が前記基準より遠い場合において、当該割当かご内に乗客がいるときについて説明する。このときには、当該割当かごが乗場１に着床する際の着床速度も、当該割当かごが乗場１に到着してから当該割当かごの戸開を開始するまでの時間も、通常と同じである。代わりに、制御部１３は、当該割当かごの戸開を開始してから戸閉を開始するまでの時間（戸開継続時間）を通常よりも長くする。
【００３６】
なお、戸開を開始してから戸閉を開始するまでの時間を通常よりも長くするためには、戸開スピードを通常よりも遅くして戸開を開始してから全開となるまでの時間を長くしてもよいし、全開となってから戸閉を開始するまでの時間を通常より長くしてもよい。
【００３７】
以上のような案内音の音量の設定及び高齢者用制御に用いるため、エレベータの制御システムには記憶部１４が備えられている。記憶部１４には、どの高齢者用乗場呼びボタン４が操作されたのか（呼びボタンＡ〜呼びボタンＣ）と、割当かごがどの号機であるのか（１号機〜４号機）との組み合わせのそれぞれについて、案内音の音量と戸開開始までの時間又は戸開継続時間（以下、「戸開開始までの時間等」という）とが通常と比較してどのように設定されるのかという情報が予め記憶されている。
【００３８】
この記憶部１４に記憶される内容は、各出入口２と各高齢者用乗場呼びボタン４との距離が前記基準より遠いか否かに応じて、予め決定される。制御部１３は、高齢者用乗場呼びボタン４への操作により乗場呼びが登録された場合に、記憶部１４に記憶された内容を参照して、音量の設定及び高齢者用制御を行う。
【００３９】
この記憶部１４に記憶される内容の一例を図３に示す。まず、高齢者用乗場呼びボタン４のうち呼びボタンＡが操作された場合について説明する。呼びボタンＡが操作されて登録された乗場呼びに対して１号機又は２号機が割り当てられた場合、呼びボタンＡと１号機及び２号機の出入口２との距離は比較的近いため、案内音の音量は「普通」すなわち通常から変化なしに設定されている。また、この場合、高齢者用制御における戸開開始までの時間等も「普通」すなわち通常から変化なしに設定されている。
【００４０】
呼びボタンＡが操作されて登録された乗場呼びに対して３号機が割り当てられた場合、呼びボタンＡと３号機の出入口２との距離はやや遠いため、案内音の音量は通常よりも「少し大きい」に設定されている。また、この場合、高齢者用制御における戸開開始までの時間等も「少し長い」に設定されている。
【００４１】
そして、呼びボタンＡが操作されて登録された乗場呼びに対して４号機が割り当てられた場合、呼びボタンＡと４号機の出入口２との距離は遠いため、案内音の音量は通常よりも「大きい」に設定されている。また、この場合、高齢者用制御における戸開開始までの時間等も「長い」に設定されている。
【００４２】
以上から分かるように、この例では、操作された高齢者用乗場呼びボタン４と割当かごの乗場１における出入口２との距離についての前記基準が、２段階に設定されている。ただし、これは一例であって、前記基準は、１段階のみであっても３段階以上に細分化しても構わない。
【００４３】
次に、高齢者用乗場呼びボタン４のうち呼びボタンＢが操作された場合について説明する。呼びボタンＢが操作されて登録された乗場呼びに対して２号機又は３号機が割り当てられた場合、呼びボタンＢと２号機及び３号機の出入口２との距離は比較的近いため、案内音の音量は「普通」すなわち通常から変化なしに設定されている。また、この場合、高齢者用制御における戸開開始までの時間等も「普通」すなわち通常から変化なしに設定されている。
【００４４】
そして、呼びボタンＢが操作されて登録された乗場呼びに対して１号機又は４号機が割り当てられた場合、呼びボタンＢと１号機及び４号機の出入口２との距離はやや遠いため、案内音の音量は通常よりも「少し大きい」に設定されている。また、この場合、高齢者用制御における戸開開始までの時間等も「少し長い」に設定されている。
【００４５】
最後に、高齢者用乗場呼びボタン４のうち呼びボタンＣが操作された場合について説明する。呼びボタンＣが操作されて登録された乗場呼びに対して１号機が割り当てられた場合、呼びボタンＣと１号機の出入口２との距離は遠いため、案内音の音量は通常よりも「大きい」に設定されている。また、この場合、高齢者用制御における戸開開始までの時間等も「長い」に設定されている。
【００４６】
呼びボタンＣが操作されて登録された乗場呼びに対して２号機が割り当てられた場合、呼びボタンＣと２号機の出入口２との距離はやや遠いため、案内音の音量は通常よりも「少し大きい」に設定されている。また、この場合、高齢者用制御における戸開開始までの時間等も「少し長い」に設定されている。
【００４７】
そして、呼びボタンＣが操作されて登録された乗場呼びに対して３号機又は４号機が割り当てられた場合、呼びボタンＣと３号機及び４号機の出入口２との距離は比較的近いため、案内音の音量は「普通」すなわち通常から変化なしに設定されている。また、この場合、高齢者用制御における戸開開始までの時間等も「普通」すなわち通常から変化なしに設定されている。
【００４８】
このように設定された記憶部１４の記憶内容を参照し、制御部１３は、高齢者用乗場呼びボタン４が操作された際に、当該操作された高齢者用乗場呼びボタン４と割当かごとの組み合わせによって決定される音量及び戸開開始までの時間等によって、案内音の鳴動及び高齢者用制御を行う。
【００４９】
この際、制御部１３において、どの高齢者用乗場呼びボタン４が操作されたのかと、割当かごがどの号機であるのかについての情報が必要となる。前者については、前述したように、高齢者用乗場呼びボタン４から出力されるボタン操作信号には、操作された乗場呼びボタンが「呼びボタンＡ」、「呼びボタンＢ」及び「呼びボタンＣ」のいずれであるのかについての情報が含まれているため、これを呼び登録部１１から取得して用いる。また、後者については、かご割り当て部１２から取得して用いる。
【００５０】
なお、通常乗場呼びボタン３への操作に応じて登録された乗場呼びへの割当かごについての案内音をスピーカ６から鳴動させる場合には、当該案内音の音量は通常のままである。また、この場合には、高齢者用制御も実施されない。
【００５１】
再び図２を参照しながら説明を続ける。エレベータの制御システムが備える報知部１５は、制御部１３により高齢者用制御が実施される場合に、高齢者用制御を実施する旨を乗場１の利用者に報知する。すなわち、報知部１５は、操作された高齢者用乗場呼びボタン４と割当かごの乗場１における出入口２との距離が前記基準より遠い場合に高齢者用制御を実施する旨を乗場１の利用者に報知する。
【００５２】
この報知部１５は、具体的には、乗場１に設けられた情報表示装置あるいはスピーカ等を用いて構成される。情報表示装置は、専用の液晶ディスプレイ等を設置してもよいし、ホールランタン５を利用してもよい。ホールランタン５を利用する場合、高齢者用制御を実施する旨を報知するためにホールランタン５の点灯色を変更したり（例えば、通常時は黄色で高齢者用制御実施時は青色にする等）、点滅スピードを変更したり（例えば、高齢者用制御実施時は通常より遅くする等）することが考えられる。また、報知部１５を構成するスピーカとして、スピーカ６を利用してもよい。
【００５３】
報知部１５として液晶ディスプレイ又はスピーカを用いる場合、例えば「高齢者用制御を実施中です」あるいは「ハートフル制御を実施しています」等のメッセージを表示又は鳴動させる。
【００５４】
以上のように構成されたエレベータの制御システムにおける特に高齢者用制御の動作の流れについて、図４のフロー図を参照しながら説明する。
まず、ステップＳ１において、高齢者用乗場呼びボタン４が押されれば、ステップＳ２へと進む。
【００５５】
ステップＳ２においては、制御部１３は、ステップＳ１で押された高齢者用乗場呼びボタン４と割当かごの出入口２との距離が前記基準より遠いか否かを確認する。この確認は、記憶部１４に記憶されている内容を確認し、押された高齢者用乗場呼びボタン４と割当かごとの組み合わせに対して、「普通」以外の内容が設定されているか否かを確認することで行うことができる。したがって、記憶部１４を用いる場合、実際には、押された高齢者用乗場呼びボタン４と割当かごの出入口２との距離が前記基準より遠いか否かの判定と、制御内容の決定とを同時に行っているともいえる。
【００５６】
ステップＳ２において、押された高齢者用乗場呼びボタン４と割当かごの出入口２との距離が前記基準より遠くない場合には、ステップＳ３へと進む。ステップＳ３においては、制御部１３は通常の制御を行う。すなわち、案内音の音量も戸開開始までの時間等も通常と同じである。そして、一連の動作フローは終了となる。
【００５７】
一方、ステップＳ２において、押された高齢者用乗場呼びボタン４と割当かごの出入口２との距離が前記基準より遠い場合には、ステップＳ４へと進む。ステップＳ４においては、制御部１３は、高齢者用制御を開始する。
【００５８】
すなわち、制御部１３は、割当かごの出入口２に対応するスピーカ６から鳴動される案内音の音量を大きくする。また、報知部１５は、高齢者用制御を実施する旨を乗場１の利用者に対して報知する。具体的には、ホールランタン５の点灯色を変更したり、乗場１にアナウンスを鳴動したりする。
【００５９】
ステップＳ４の後はステップＳ５へと進む。ステップＳ５においては、制御部１３は、押された高齢者用乗場呼びボタン４が設置された乗場１で、割当かごが戸閉待機中であるか否かを確認する。押された高齢者用乗場呼びボタン４が設置された乗場１で割当かごが戸閉待機中である場合にはステップＳ６へと進む。
【００６０】
ステップＳ５からステップＳ６へと進んだ場合、当該割当かご内には乗客はいないことになる。そこで、制御部１３は、案内音を鳴動させてから戸閉待機した状態を前記一定時間継続した後、割当かごを戸開する。このようにして、制御部１３は、案内音を鳴動させてから割当かごの戸開を開始するまでの時間を通常よりも長くする。そして、一連の動作フローは終了となる。
【００６１】
一方、ステップＳ５において、押された高齢者用乗場呼びボタン４が設置された乗場１で割当かごが戸閉待機中でない場合にはステップＳ７へと進む。ステップＳ７においては、制御部１３は、当該割当かご内に乗客がいるか否かを確認する。
【００６２】
当該割当かご内に乗客がいるか否かは、例えば、かご７に設けられた秤装置の検出結果を用いることで確認することができる。また、かご７に監視カメラが設置されている場合には、監視カメラの画像を分析することでも確認することができる。あるいは、かご７内に設けられた操作盤から行先階が登録されているか否かによっても確認することができる。
【００６３】
ステップＳ７で割当かご内に乗客がいない場合には、ステップＳ６へと進む。ステップＳ５からステップＳ６へと進んだ場合には、制御部１３は、割当かごの着床速度を通常よりも遅くする、あるいは、割当かごが乗場１に到着してから戸開を開始するまでの時間を通常よりも長くすることにより、案内音を鳴動させてから割当かごの戸開を開始するまでの時間を通常よりも長くする。そして、一連の動作フローは終了となる。
【００６４】
一方、ステップＳ７で割当かご内に乗客がいる場合には、ステップＳ８へと進む。ステップＳ８においては、制御部１３は、割当かごを乗場１に到着させて戸開させる。そして、制御部１３は、割当かごが乗場１で戸開を開始してから戸閉を開始するまでの時間を通常よりも長くする。そして、一連の動作フローは終了となる。
【００６５】
以上のように構成されたエレベータの制御システムは、エレベータの乗場１に設けられた１以上の高齢者用乗場呼びボタン４と、高齢者用乗場呼びボタン４への操作に応じて呼びを登録する呼び登録手段である呼び登録部１１と、呼び登録手段により登録された呼びに対して応答するかごを複数のかごのうちから割り当てるかご割り当て手段であるかご割り当て部１２と、乗場１における複数のかごの出入口２のそれぞれに対応して設けられたスピーカ６と、かご割り当て手段により呼びに割り当てられた割当かごの乗場１における出入口２に対応するスピーカ６から案内音を鳴動させる制御手段である制御部１３と、を備えている。そして、制御手段である制御部１３は、操作された高齢者用乗場呼びボタン４と割当かごの乗場１における出入口２との距離に基づいて、案内音の音量を設定するものである。
【００６６】
このため、高齢者等で聴力が弱い利用者と戸開するエレベータとの距離に応じて、戸開するエレベータを当該利用者に気付きやすく報知することができ、当該利用者の焦りの抑制を図ることが可能である。
【００６７】
また、さらに、制御手段である制御部１３は、操作された高齢者用乗場呼びボタン４と割当かごの乗場１における出入口２との距離が基準より遠い場合、割当かご内に乗客がいないときは、案内音を鳴動させてから割当かごの戸開を開始するまでの時間を通常よりも長くするものである。
【００６８】
このため、高齢者等で歩行速度の遅い利用者に対し心理的に焦りを誘うことなく、当該利用者が割当かごの出入口にまで移動するための時間を十分に確保することができる。
【符号の説明】
【００６９】
１  乗場、  ２  出入口、  ３  通常乗場呼びボタン、  ４  高齢者用乗場呼びボタン、  ５  ホールランタン、  ６  スピーカ、  ７  かご、  １１  呼び登録部、  １２  かご割り当て部、  １３  制御部、  １４  記憶部、  １５  報知部
【図１】
0006299468.tif 000002
【図２】
0006299468.tif 000003
【図３】
0006299468.tif 000004
【図４】
0006299468.tif 000005